(57)【要約】【課題】  照明装置の電源をオン又はオフにすることができる照明制御装置、及び、照明システムを提供する。【解決手段】  実施形態によれば、照明制御装置は、調光信号出力部と、伝送信号出力部と、を備える。調光信号出力部は、照明装置に、調光を制御する調光信号を出力する。伝送信号出力部は、電源から前記照明装置への電力供給をオン又はオフする電源スイッチに、前記照明装置への電力供給をオンにさせる第１の伝送信号又は前記照明装置への電力供給をオフにさせる第２の伝送信号を出力する。【選択図】図１
2017174688.tif 000002
【特許請求の範囲】
【請求項１】
照明装置に、調光を制御する調光信号を出力する調光信号出力部と、
電源から前記照明装置への電力供給をオン又はオフする電源スイッチに、前記照明装置への電力供給をオンにさせる第１の伝送信号又は前記照明装置への電力供給をオフにさせる第２の伝送信号を出力する伝送信号出力部と、
を備える照明制御装置。
【請求項２】
上位の照明制御装置の前記伝送信号出力部に接続されて、前記上位の照明制御装置のスレーブとして動作するスレーブモードを設定する動作モード設定部を備える、
前記請求項１に記載の照明制御装置。
【請求項３】
前記上位の照明制御装置とデータを送受信する通信部を備え、
前記動作モード設定部は、前記通信部と前記上位の照明制御装置との接続検知に応じて、前記スレーブモードを設定する、
前記請求項２に記載の照明制御装置。
【請求項４】
照明制御装置と電源スイッチとを備える照明システムであって、
前記照明制御装置は、
照明装置に、調光を制御する調光信号を出力する調光信号出力部と、
前記電源スイッチに、前記照明装置への電力供給をオンにさせる第１の伝送信号又は前記照明装置への電力供給をオフにさせる第２の伝送信号を出力する第１の伝送信号出力部と、
を備え、
前記電源スイッチは、前記第１又は第２の伝送信号に基づいて、電源から前記照明装置への電力供給をオン又はオフする、
照明システム。
【請求項５】
前記電源スイッチは、前記照明装置と前記電源との間に設置され、前記第１の伝送信号に基づき前記照明装置と前記電源とを接続し、前記第２の伝送信号に基づき前記照明装置と前記電源とを遮断するスイッチ部を備える、
前記請求項４に記載の照明システム。
【請求項６】
前記第１の伝送信号出力部は、前記電源スイッチが接続する伝送信号線に前記第１又は第２の伝送信号を出力し、
前記照明制御装置は、さらに、
前記伝送信号線に接続する被制御装置へ前記伝送信号線を介して第３の伝送信号を送信する第２の伝送信号出力部を備える、
前記請求項４又は５に記載の照明システム。
【請求項７】
前記電源スイッチは、さらに、
前記伝送信号線を流れる前記第３の伝送信号を増幅するアンプ部を備える、
前記請求項６に記載の照明システム。
【請求項８】
前記アンプ部は、前記電源から電力の供給を受ける、
前記請求項７に記載の照明システム。
【発明の詳細な説明】
【技術分野】
【０００１】
本発明の実施形態は、照明制御装置、及び、照明システムに関する。
【背景技術】
【０００２】
照明制御装置には、発光ダイオード又は蛍光灯などの照明負荷を備える照明装置に調光信号を送信するものがある。照明制御装置は、所定の光量を発光させるため調光信号を照明装置に送信して、照明装置を調光する。
【０００３】
しかしながら、従来、照明制御装置は、照明装置の電源をオン又はオフにすることができないという課題がある。
【先行技術文献】
【特許文献】
【０００４】
【特許文献１】特許第５６５２１４４号公報
【発明の概要】
【発明が解決しようとする課題】
【０００５】
上記の課題を解決するために、照明装置の電源をオン又はオフにすることができる照明制御装置、及び、照明システムを提供する。
【課題を解決するための手段】
【０００６】
実施形態によれば、照明制御装置は、調光信号出力部と、伝送信号出力部と、を備える。調光信号出力部は、照明装置に、調光を制御する調光信号を出力する。伝送信号出力部は、電源から前記照明装置への電力供給をオン又はオフする電源スイッチに、前記照明装置への電力供給をオンにさせる第１の伝送信号又は前記照明装置への電力供給をオフにさせる第２の伝送信号を出力する。
【発明の効果】
【０００７】
この発明によれば、照明装置の電源をオン又はオフにすることができる照明制御装置、及び、照明システムを提供することができる。
【図面の簡単な説明】
【０００８】
【図１】図１は、第１実施形態に係る照明システムの構成例を示す図である。
【図２】図２は、第１実施形態に係るコントローラの構成例を示す図である。
【図３】図３は、第２実施形態に係る統合システムの構成例を示す図である。
【図４】図４は、第２実施形態に係るコントローラの構成例を示す図である。
【発明を実施するための形態】
【０００９】
以下、実施の形態について図面を参照して説明する。  
以下で説明する実施形態に係る照明制御装置（１０、１０ａ及び１０ｂ）は、調光信号出力部（１１、１１ａ及び１１ｂ）と、伝送信号出力部（１１、１１ａ及び１１ｂ）と、を備える。調光信号出力部は、照明装置（２０、２０ａ及び２０ｂ）に、調光を制御する調光信号を出力する。伝送信号出力部は、電源（２）から前記照明装置への電力供給をオン又はオフする電源スイッチ（３０、３０ａ及び３０ｂ）に、前記照明装置への電力供給をオンにさせる第１の伝送信号又は前記照明装置への電力供給をオフにさせる第２の伝送信号を出力する。
【００１０】
以下で説明する実施形態に係る照明制御装置は、動作モード設定部（１１ａ及び１１ｂ）を備える。動作モード設定部は、上位の照明制御装置の前記伝送信号出力部に接続されて、前記上位の照明制御装置のスレーブとして動作するスレーブモードを設定する。
【００１１】
以下で説明する実施形態に係る照明制御装置は、通信部（１５ａ及び１５ｂ）を備える。通信部は、前記上位の照明制御装置とデータを送受信する。前記動作モード設定部は、前記通信部と前記上位の照明制御装置との接続検知に応じて、前記スレーブモードを設定する。
【００１２】
以下で説明する実施形態に係る照明システムは、照明制御装置（１０、１０ａ及び１０ｂ）と電源スイッチ（３０、３０ａ及び３０ｂ）とを備える。前記照明制御装置は、調光信号出力部（１１、１１ａ及び１１ｂ）と、第１の伝送信号出力部（１１、１１ａ及び１１ｂ）と、を備える。調光信号出力部は、照明装置（２０、２０ａ及び２０ｂ）に、調光を制御する調光信号を出力する。第１の伝送信号出力部は、前記電源スイッチに、前記照明装置への電力供給をオンにさせる第１の伝送信号又は前記照明装置への電力供給をオフにさせる第２の伝送信号を出力する。前記電源スイッチは、前記第１又は第２の伝送信号に基づいて、電源から前記照明装置への電力供給をオン又はオフする。
【００１３】
以下で説明する実施形態に係る前記電源スイッチは、スイッチ部（３１、３１ａ及び３１ｂ）を備える。スイッチ部は、前記照明装置と前記電源との間に設置され、前記第１の伝送信号に基づき前記照明装置と前記電源とを接続し、前記第２の伝送信号に基づき前記照明装置と前記電源とを遮断する。
【００１４】
以下で説明する実施形態に係る前記第１の伝送信号出力部は、前記電源スイッチが接続する伝送信号線に前記第１又は第２の伝送信号を出力する。前記照明制御装置は、さらに、第２の伝送信号出力部を備える。第２の伝送信号出力部は、前記伝送信号線に接続する被制御装置へ前記伝送信号線を介して第３の伝送信号を送信する。
【００１５】
以下で説明する実施形態に係る前記電源スイッチは、さらに、アンプ部（３２、３２ａ及び３２ｂ）を備える。アンプ部は、前記伝送信号線を流れる前記第３の伝送信号を増幅する。
【００１６】
以下で説明する実施形態に係る前記アンプ部は、前記電源から電力の供給を受ける。
（第１実施形態）
まず、第１実施形態について説明する。  
図１は、実施形態に係る照明システム１の構成例を示す図である。  
照明システム１は、電源２からの電力を用いて照明装置２０を発光させるシステムである。また、照明システム１は、種々のパラメータなどに基づいて照明装置２０を調光する。照明システム１は、たとえば、住宅、オフィス又は商業施設などに設置される。
【００１７】
電源２は、照明システム１に電力を供給する。たとえば、電源２は、交流の電圧を供給する。たとえば、電源２は、商用電源である。たとえば、電源２は、１００Ｖであり、５０Ｈｚ又は６０Ｈｚである交流電圧を供給する。なお、電源２は、直流電流を供給してもよい。
【００１８】
図１が示すように、照明システム１は、コントローラ１０（照明制御装置）、照明装置２０、及び、被制御装置などを備える。図１が示す例では、照明システム１は、被制御装置として、リレー３０（電源スイッチ）、人感センサ４０、照度センサ５０及びスイッチ６０を備える。コントローラ１０は、調光信号線を介して照明装置２０に接続する。また、コントローラ１０は、伝送信号線を介してリレー３０、人感センサ４０、照度センサ５０及びスイッチ６０に接続する。また、照明装置２０は、電力線を介して電源２に接続する。
【００１９】
コントローラ１０は、照明システム１全体を制御する。たとえば、コントローラ１０は、人感センサ４０、照度センサ５０又はスイッチ６０などからの伝送信号に基づいて照明装置２０に照明装置２０の調光を制御する調光信号を生成する。
【００２０】
また、コントローラ１０は、被制御装置との間で伝送信号を送受信する。即ち、コントローラ１０は、リレー３０、人感センサ４０、照度センサ５０及びスイッチ６０との間で伝送信号を送受信する。伝送信号は、コントローラ１０とリレー３０、人感センサ４０、照度センサ５０及びスイッチ６０（被制御装置）とデータを送受信するための信号である。  
コントローラ１０については、後に詳述する。
【００２１】
照明装置２０は、コントローラ１０からの調光信号に基づいて発光する。即ち、照明装置２０は、調光信号が示す光量を発光する。  
照明装置２０は、たとえば、制御部及び照明負荷などを備える。制御部は、調光信号に応じて照明負荷に電力を供給する制御を行う。即ち、制御部は、調光信号が示す光量を照明負荷が発光する電力を供給する制御を行う。照明負荷は、供給される電力に応じて発光する。たとえば、照明負荷は、発光ダイオード、蛍光灯、又は、白熱電球などである。なお、照明装置２０の照明負荷は、特定の構成に限定されるものではない。また、照明装置２０が備える照明負荷の個数は、特定の個数に限定されるものではない。
【００２２】
被制御装置は、コントローラ１０が制御する装置である。たとえば、被制御装置は、照明装置２０の制御に関連する。たとえば、被制御装置は、照明装置２０の制御に必要なデータを供給し、又は、照明装置２０の制御に必要な動作を行う。以下、被制御装置である、リレー３０、人感センサ４０、照度センサ５０及びスイッチ６０について説明する。
【００２３】
リレー３０は、コントローラ１０からの伝送信号に基づいて、照明装置２０への電力供給をオン又はオフする。即ち、リレー３０は、照明装置２０と電源２との間の電力線を接続又は切断する。
【００２４】
図１が示すように、リレー３０は、スイッチ部３１及びアンプ部３２などを備える。  
スイッチ部３１は、照明装置２０と電源２との間の電力線に設置される。スイッチ部３１は、照明装置２０と電源２との間の接点を閉じ、又は、開放する。たとえば、スイッチ部３１は、電源２からの電力供給を受けるコイルを備える。スイッチ部３１は、コイルに流れる電力から生じる磁力を用いて、接点を閉じ又は開放する。
【００２５】
スイッチ部３１は、伝送信号に基づいて動作する。即ち、伝送信号が照明装置２０への電力供給をオンにさせる場合、スイッチ部３１は、照明装置２０と電源２とを接続する。また、伝送信号が照明装置２０への電力供給をオフにさせる場合、スイッチ部３１は、照明装置２０と電源２とを遮断する。
【００２６】
アンプ部３２は、コントローラ１０からの伝送信号を増幅する。即ち、アンプ部３２は、コントローラ１０からの伝送信号を増幅しリレー３０より下流の被制御装置（即ち、伝送信号線上においてコントローラ１０から遠い被制御装置）へ出力する。図１が示す例では、アンプ部３２は、増幅した伝送信号を人感センサ４０、照度センサ５０及びスイッチ６０へ出力する。なお、アンプ部３２は、下流の被制御装置からの伝送信号を増幅してコントローラ１０へ送信してもよい。
【００２７】
また、アンプ部３２は、コントローラ１０からの伝送信号に基づいて、伝送信号を増幅してもよい。たとえば、アンプ部３２は、増幅を指示する伝送信号を受信すると、後に受信する伝送信号を増幅して下流の被制御装置へ送信する。また、アンプ部３２は、コントローラ１０からの伝送信号に基づいて増幅量を設定してもよい。
【００２８】
アンプ部３２は、電源２から電力の供給を受ける。即ち、アンプ部３２は、電源２からの電力を用いて伝送信号を増幅する。  
なお、アンプ部３２は、他の電力源から電力の供給を受けてもよい。
【００２９】
人感センサ４０は、所定の領域内の人を検知する。たとえば、人感センサ４０は、照明装置２０が照らす領域内の人を検知する。人感センサ４０は、所定の領域内に人を検知すると、人を検知したことを示す伝送信号をコントローラ１０へ送信する。なお、人感センサ４０は、所定の領域内から人がいなくなったことを検知すると、人がいなくなったことを示す伝送信号をコントローラ１０へ送信してもよい。
【００３０】
照度センサ５０は、所定の領域において照度を検知する。たとえば、照度センサ５０は、照明装置２０が照らす領域において照度を検知する。また、照度センサ５０は、照明装置２０が照らす領域の周辺において照度を検知してもよい。たとえば、照度センサ５０は、照明装置２０が照らす部屋の外の照度を検知してもよい。照度センサ５０は、検知した照度を示す伝送信号をコントローラ１０へ送信する。
【００３１】
スイッチ６０は、操作者から種々の操作を受け付ける。たとえば、スイッチ６０は、照明装置２０のオン／オフ操作を受け付ける。また、スイッチ６０は、照明装置２０の光量を示す操作を受け付けてもよい。たとえば、スイッチ６０は、押しボタンスイッチ又はロータリースイッチなどから構成される。なお、スイッチ６０は、タッチパネルなどから構成されてもよい。スイッチ６０は、受け付けた操作を示す伝送信号をコントローラ１０へ送信する。
【００３２】
なお、照明システム１は、図１が示すような構成の他に必要に応じた構成を具備したり、特定の構成を除外したりしてもよい。  
たとえば、照明システム１は、人感センサ４０、照度センサ５０又はスイッチ６０を備えなくともよい。また、照明システム１は、他の被制御装置を備えてもよい。
【００３３】
次に、コントローラ１０について説明する。  
図２は、コントローラ１０の構成例を示す図である。  
図２が示すように、コントローラ１０は、ＣＰＵ１１、メモリ１２、第１のインターフェース１３及び第２のインターフェース１４などを備える。
【００３４】
ＣＰＵ１１は、コントローラ１０全体の動作を制御する機能を有する。ＣＰＵ１１は、内部キャッシュおよび各種のインターフェースなどを備えても良い。ＣＰＵ１１は、内部メモリ、又はメモリ１２に予め記憶したプログラムを実行することにより種々の処理を実現する。ＣＰＵ１１は、たとえば、プロセッサである。
【００３５】
なお、ＣＰＵ１１がプログラムを実行することにより実現する各種の機能のうちの一部は、ハードウエア回路により実現されるものであっても良い。この場合、ＣＰＵ１１は、ハードウエア回路により実行される機能を制御する。
【００３６】
メモリ１２は、揮発性メモリ及び不揮発性メモリなどから構成される。たとえば、メモリ１２は、予め制御用のプログラム及び制御データなどを格納する。また、メモリ１２は、ＣＰＵ１１の処理中のデータなどを一時的に格納する。たとえば、メモリ１２は、ＣＰＵ１１からの命令に基づき種々の実行中のアプリケーションプログラムを格納する。また、メモリ１２は、アプリケーションプログラムの実行に必要なデータ及びアプリケーションプログラムの実行結果などを格納してもよい。
【００３７】
第１のインターフェース１３は、照明装置２０とデータを送受信するためのインターフェースである。たとえば、ＣＰＵ１１は、第１のインターフェース１３を通じて調光信号を照明装置２０へ送信する。調光信号としては例えばＰＷＭ調光信号を送信する。第１のインターフェース１３は、たとえば、ＬＡＮ接続をサポートするものであってもよい。
【００３８】
第２のインターフェース１４は、被制御装置（ここでは、リレー３０、人感センサ４０、照度センサ５０及びスイッチ６０）とデータを送受信するためのインターフェースである。たとえば、ＣＰＵ１１は、第２のインターフェース１４を通じて伝送信号を被制御装置へ送信する。第２のインターフェース１４は、任意の照明制御用通信規格を送信可能に構成され、例えばＤＡＬＩ等の通信規格を使用することができる。また、第２のインターフェース１４は、第１のインターフェース１３とは異なる通信規約を採用することができる。さらに、第２のインターフェース１４は、伝送信号の送受信と、第２のインターフェース１４に接続される機器への電力供給を２線の伝送線で行うように構成するのが望ましい。このように構成することで、第１のインターフェース１３に接続される照明装置２０は調光信号によって制御可能な簡易な構成とするとともに、第２のインターフェースを介してセンサ機器の情報を取得して照明装置２０の制御を行ったり、第２のインターフェース１４に接続されるリレー３０によって第１のインターフェース１３に接続される照明装置２０への電源供給をオンオフしたりといった制御が可能となる。なお、第２のインターフェース１４は、ＬＡＮ接続をサポートするものであってもよい。
【００３９】
なお、第１のインターフェース１３及び第２のインターフェース１４は、一体的に形成されてもよい。  
また、コントローラ１０は、図２が示すような構成の他に必要に応じた構成を具備してもよい。
【００４０】
次に、ＣＰＵ１１が実現する機能について説明する。  
ＣＰＵ１１は、照明装置２０に調光信号を出力する機能を有する（調光信号出力部）。  
ＣＰＵ１１は、人感センサ４０、照度センサ５０又はスイッチ６０などからの伝送信号に基づいて照明装置２０に発光させる光量を決定する。たとえば、ＣＰＵ１１は、人感センサ４０からの伝送信号に基づいて照明装置２０が照らす領域に人がいるかを判定する。ＣＰＵ１１は、当該領域に人がいる場合には、大きな値を光量として決定する。また、ＣＰＵ１１は、当該領域に人がいない場合には、小さな値を光量として決定する。
【００４１】
また、ＣＰＵ１１は、照度センサ５０からの伝送信号に基づいて照明装置２０が照らす領域の周囲の照度を取得する。たとえば、ＣＰＵ１１は、当該領域の周囲の照度が小さければ、大きな値を光量として決定する。また、ＣＰＵ１１は、当該領域の周囲の照度が大きければ、小さな値を光量として決定する。
【００４２】
また、ＣＰＵ１１は、スイッチ６０に入力される操作に従って光量を決定してもよい。たとえば、ＣＰＵ１１は、スイッチ６０に入力される光量を取得し、取得された光量を照明装置２０の光量と決定してもよい。
【００４３】
ＣＰＵ１１が光量を決定する方法は、特定の方法に限定されるものではない。
【００４４】
また、ＣＰＵ１１は、決定された光量を示す調光信号を生成する。たとえば、ＣＰＵ１１は、調光信号としてＰＷＭ波を生成する。たとえば、ＣＰＵ１１は、光量に応じたパルス幅を持つＰＷＭ波を調光信号として生成する。なお、ＣＰＵ１１は、光量を示すビット信号を調光信号として生成してもよい。ＣＰＵ１１が生成する調光信号の構成は、特定の構成に限定されるものではない。  
また、ＣＰＵ１１は、第１のインターフェース１３を通じて、生成された調光信号を照明装置２０へ出力する。
【００４５】
また、ＣＰＵ１１は、被制御装置へ伝送信号（第３の伝送信号）を出力する機能を有する（第２の伝送信号出力部）。  
たとえば、ＣＰＵ１１は、被制御装置を制御する伝送信号を生成する。たとえば、ＣＰＵ１１は、人感センサ４０又は照度センサ５０をオン／オフ制御するための伝送信号を生成する。ＣＰＵ１１は、第２のインターフェース１４を通じて、生成された伝送信号を被制御装置へ送信する。
【００４６】
また、ＣＰＵ１１は、照明装置２０への電力供給をオン又はオフにさせる伝送信号をリレー３０に出力する機能を有する（第１の伝送信号出力部）。即ち、ＣＰＵ１１は、照明装置２０への電力供給をオンにさせる伝送信号（第１の伝送信号）又は照明装置２０への電力供給をオフにさせる伝送信号（第２の伝送信号）をリレー３０に出力する。
【００４７】
たとえば、ＣＰＵ１１は、所定の場合に、照明装置２０の電源をオンすると決定する。  
たとえば、ＣＰＵ１１は、スイッチ６０に照明装置２０をオンする操作が入力された場合、照明装置２０の電源をオンにすると決定する。また、ＣＰＵ１１は、人感センサ４０からの伝送信号に基づいて照明装置２０が照らす領域に人がいると判定した場合に、照明装置２０の電源をオンすると決定してもよい。
【００４８】
ＣＰＵ１１は、照明装置２０の電源をオンすると決定すると、照明装置２０への電力供給をオンにさせる伝送信号を生成する。ＣＰＵ１１は、第２のインターフェース１４を通じて生成された伝送信号をリレー３０に送信する。
【００４９】
また、ＣＰＵ１１は、所定の場合に、照明装置２０の電源をオフすると決定する。  
たとえば、ＣＰＵ１１は、スイッチ６０に照明装置２０をオフする操作が入力された場合、照明装置２０の電源をオフにすると決定する。また、ＣＰＵ１１は、人感センサ４０からの伝送信号に基づいて照明装置２０が照らす領域に人がいないと判定した場合に、照明装置２０の電源をオフすると決定してもよい。
【００５０】
ＣＰＵ１１は、照明装置２０の電源をオフすると決定すると、照明装置２０への電力供給をオフにさせる伝送信号を生成する。ＣＰＵ１１は、第２のインターフェース１４を通じて生成された伝送信号をリレー３０に送信する。
【００５１】
次に、照明システム１の動作例について説明する。  
ここでは、スイッチ部３１がオフ（即ち、照明装置２０の電源がオフ）になっているものとする。
【００５２】
まず、コントローラ１０のＣＰＵ１１は、所定の場合に、照明装置２０の電源をオンにすると決定する。前述の通り、たとえば、ＣＰＵ１１は、人感センサ４０又はスイッチ６０などからの伝送信号に基づいて照明装置２０の電源をオンにすると決定する。
【００５３】
照明装置２０の電源をオンにすると決定すると、ＣＰＵ１１は、照明装置２０への電力供給をオンにさせる伝送信号を生成する。伝送信号を生成すると、ＣＰＵ１１は、第２のインターフェース１４を通じてリレー３０に当該伝送信号を送信する。なお、ＣＰＵ１１は、リレー３０に対する伝送信号であることを示すビットなどを伝送信号に含めて伝送信号線に伝送信号を出力してもよい。
【００５４】
リレー３０は、照明装置２０への電力供給をオンにさせる伝送信号をコントローラ１０から受信する。リレー３０は、伝送信号に従って、スイッチ部３１を閉じる。スイッチ部３１が閉じると、照明装置２０は、電源２から電力の供給を受け起動する。
【００５５】
照明装置２０が起動すると、ＣＰＵ１１は、調光信号を生成する。調光信号を生成すると、ＣＰＵ１１は、第１のインターフェース１３を通じて生成された調光信号を照明装置２０に送信する。  
照明装置２０は、コントローラ１０から調光信号を受信する。調光信号を受信すると、照明装置２０は、調光信号が示す光量を発光する。
【００５６】
また、ＣＰＵ１１は、第２のインターフェース１４を通じて伝送信号を伝送信号線に送信する。ＣＰＵ１１は、照明装置２０が起動する前後を通じて伝送信号を伝送信号線に送信してもよい。また、ＣＰＵ１１は、照明装置２０が起動した後に伝送信号を伝送信号線に送信してもよい。
【００５７】
ＣＰＵ１１が伝送信号を伝送信号線に送信すると、リレー３０のアンプ部３２は、伝送信号を受信する。伝送信号を受信すると、アンプ部３２は、受信された伝送信号を増幅する。伝送信号を増幅すると、アンプ部３２は、増幅された伝送信号を下流の伝送信号線に出力する。
【００５８】
また、ＣＰＵ１１は、コントローラ１０のＣＰＵ１１は、所定の場合に、照明装置２０の電源をオフにすると決定する。前述の通り、たとえば、ＣＰＵ１１は、人感センサ４０又はスイッチ６０などからの伝送信号に基づいて照明装置２０の電源をオフにすると決定する。
【００５９】
照明装置２０の電源をオフにすると決定すると、ＣＰＵ１１は、照明装置２０への電力供給をオフにさせる伝送信号を生成する。伝送信号を生成すると、ＣＰＵ１１は、第２のインターフェース１４を通じてリレー３０に当該伝送信号を送信する。なお、ＣＰＵ１１は、リレー３０に対する伝送信号であることを示すビットなどを伝送信号に含めて伝送信号線に伝送信号を出力してもよい。
【００６０】
リレー３０は、照明装置２０への電力供給をオフにさせる伝送信号をコントローラ１０から受信する。リレー３０は、伝送信号に従って、スイッチ部３１を開放する。スイッチ部３１が開放すると、電源２から照明装置２０への電力の供給が停止する。電力の供給が停止すると、照明装置２０は、動作を終了する。
【００６１】
なお、前述の通り、アンプ部３２は、下流に被制御装置からコントローラ１０への伝送信号を増幅してもよい。また、アンプ部３２は、コントローラ１０からの伝送信号に基づいて、伝送信号を増幅してもよい。
【００６２】
以上のように形成されたコントローラは、照明装置２０への電力供給をオン又はオフにさせる信号を出力する。また、コントローラに接続するリレーは、当該信号に従って照明装置と電源との接続をオン又はオフにする。その結果、コントローラは、照明装置の電源をオン又はオフにすることができる。
【００６３】
また、リレーは、自己が備えるアンプ部によって被制御装置に対する信号を増幅する。その結果、コントローラは、遠方などに設置される被制御装置に対して安定して信号を送信することができる。また、アンプ部は、照明装置２０に電力を供給する電源から電力の供給を受ける。その結果、アンプ部は、新たな電源を要することなく信号を増幅することができる。
（第２実施形態）
次に、第２実施形態について説明する。  
第２実施形態に係る照明システムは、上位の照明システムの被制御装置として動作することができる点で第１実施形態の照明システムと異なる。
【００６４】
図３は、第２実施形態に係る統合システム１００の構成例を示す。  
図３が示すように、統合システム１００は、照明システム１ａ及び１ｂなどを備える。
【００６５】
照明システム１ａは、コントローラ１０ａ、照明装置２０ａ、及び、被制御装置などを備える。照明システム１ａは、被制御装置として、リレー３０ａ、人感センサ４０ａ、照度センサ５０ａ及びスイッチ６０ａを備える。また、リレー３０ａは、スイッチ部３１ａ及びアンプ部３２ａなどを備える。
【００６６】
照明システム１ｂは、コントローラ１０ｂ、照明装置２０ｂ、及び、被制御装置などを備える。照明システム１ｂは、被制御装置として、リレー３０ｂ、人感センサ４０ｂ、照度センサ５０ｂ及びスイッチ６０ｂを備える。また、リレー３０ｂは、スイッチ部３１ｂ及びアンプ部３２ｂなどを備える。
【００６７】
照明装置２０ａ並びに２０ｂ、リレー３０ａ並びに３０ｂ、スイッチ部３１ａ並びに３１ｂ、アンプ部３２ａ並びに３２ｂ、人感センサ４０ａ並びに４０ｂ、照度センサ５０ａ並びに５０ｂ及びスイッチ６０ａ並びに６０ｂは、それぞれ照明装置２０、リレー３０、スイッチ部３１、アンプ部３２、人感センサ４０、照度センサ５０及びスイッチ６０と同様の構成であるため、説明を省略する。  
コントローラ１０ａに接続される伝送信号線は、コントローラ１０ｂに接続する。即ち、コントローラ１０ａは、コントローラ１０ｂに伝送信号を送信する。
【００６８】
次に、コントローラ１０ａ及び１０ｂについて説明する。  
ここでは、コントローラ１０ｂについて説明する。コントローラ１０ａは、コントローラ１０ｂと同様の構成である。
【００６９】
図４は、コントローラ１０ｂの構成例を示す図である。  
図４が示すように、コントローラ１０ｂは、ＣＰＵ１１ｂ、メモリ１２ｂ、第１のインターフェース１３ｂ、第２のインターフェース１４ｂ、第３のインターフェース１５ｂ（通信部）及び操作部１６ｂなどを備える。
【００７０】
メモリ１２ｂ、第１のインターフェース１３ｂ及び第２のインターフェース１４ｂは、それぞれメモリ１２、第１のインターフェース１３及び第２のインターフェース１４と同様であるため説明を省略する。
【００７１】
ＣＰＵ１１ｂは、コントローラ１０ｂ全体の動作を制御する機能を有する。ＣＰＵ１１ｂは、内部キャッシュおよび各種のインターフェースなどを備えても良い。ＣＰＵ１１ｂは、内部メモリ、又はメモリ１２ｂに予め記憶したプログラムを実行することにより種々の処理を実現する。ＣＰＵ１１ｂは、たとえば、プロセッサである。
【００７２】
なお、ＣＰＵ１１ｂがプログラムを実行することにより実現する各種の機能のうちの一部は、ハードウエア回路により実現されるものであっても良い。この場合、ＣＰＵ１１ｂは、ハードウエア回路により実行される機能を制御する。
【００７３】
第３のインターフェース１５ｂは、上位の照明システムとデータを送受信するためのインターフェースである。即ち、第３のインターフェース１５ｂは、上位の照明システムのコントローラ（ここでは、コントローラ１０ａ）と伝送信号を送受信する。たとえば、第３のインターフェース１５ｂは、上位の照明システムの伝送信号線に接続する。ＣＰＵ１１ｂは、第３のインターフェース１５ｂを通じて伝送信号を受信する。第３のインターフェース１５ｂは、たとえば、ＬＡＮ接続をサポートするものであってもよい。  
なお、第１のインターフェース１３ｂ、第２のインターフェース１４ｂ及び第３のインターフェース１５ｂは、一体的に形成されてもよい。
【００７４】
操作部１６ｂは、操作者から、上位の照明システムの被制御装置として動作することを指示する操作を受け付ける。操作部１６ｂは、受け付けた操作をＣＰＵ１１ｂに送信する。操作部１６ｂは、たとえば、スイッチ又はタッチパネルなどから構成される。
【００７５】
また、コントローラ１０ｂは、図４が示すような構成の他に必要に応じた構成を具備したり、特定の構成を除外したりしてもよい。  
コントローラ１０ａは、図示されないＣＰＵ１１ａ、メモリ１２ａ、第１のインターフェース１３ａ、第２のインターフェース１４ａ、第３のインターフェース１５ａ及び操作部１６ａなどを備える。ＣＰＵ１１ａ、メモリ１２ａ、第１のインターフェース１３ａ、第２のインターフェース１４ａ、第３のインターフェース１５ａ及び操作部１６ａは、それぞれＣＰＵ１１ｂ、メモリ１２ｂ、第１のインターフェース１３ｂ、第２のインターフェース１４ｂ、第３のインターフェース１５ｂ及び操作部１６ｂと同様であるため説明を省略する。
【００７６】
次に、ＣＰＵ１１ｂの機能について説明する。  
ＣＰＵ１１ｂは、第１実施形態のＣＰＵ１１の機能に加えて以下の機能を実現する。  
ＣＰＵ１１は、上位の照明システムの被制御装置として動作する（上位のコントローラのスレーブとして動作する）スレーブモードを設定する機能を有する（動作モード設定部）。  
たとえば、ＣＰＵ１１ｂは、操作部１６ｂを通じて、上位の照明システムの被制御装置として動作することを指示する操作を受け付けると、動作モードをスレーブモードに設定する。また、ＣＰＵ１１ｂは、第３のインターフェース１５ｂと伝送信号線（即ち、上位のコントローラ）との接続検知に基づいて、動作モードをスレーブモードに設定してもよい。
【００７７】
スレーブモードは、上位の照明システムの被制御装置として動作する動作モードである。即ち、スレーブモードは、上位の照明システムのコントローラの制御下で動作するモードである。  
ここでは、照明システム１ａが上位の照明システムであるものとする。  
スレーブモードを設定すると、ＣＰＵ１１ｂは、第３のインターフェース１５ｂを通じてコントローラ１０ａから受信する伝送信号に基づいて照明システム１ｂの各部を制御する。たとえば、ＣＰＵ１１ｂは、コントローラ１０ａから照明装置２０ｂをオンにする伝送信号を受信する。当該伝送信号を受信すると、ＣＰＵ１１ｂは、当該伝送信号に従って、照明装置２０ｂの電源をオンにする。ＣＰＵ１１ｂが照明装置２０ｂの電源をオンにする動作は、第１実施形態の動作と同様であるため説明を省略する。
【００７８】
また、ＣＰＵ１１ｂは、コントローラ１０ａから照明装置２０ｂの光量を示す伝送信号を受信する。当該伝送信号を受信すると、ＣＰＵ１１ｂは、当該伝送信号が示す光量を発光するように照明装置２０ｂを調光する。ＣＰＵ１１ｂが照明装置２０ｂを調光にする動作は、第１実施形態の動作と同様であるため説明を省略する。
【００７９】
また、ＣＰＵ１１ｂは、第３のインターフェース１５ｂを通じて伝送信号をコントローラ１０ａに送信してもよい。たとえば、ＣＰＵ１１ｂは、照明システム１ｂの被制御装置（人感センサ４０ｂ、照度センサ５０ｂ又はスイッチ６０ｂなど）からの伝送信号をコントローラ１０ａに送信してもよい。  
なお、上記の照明システムのコントローラ（ここでは、コントローラ１０ａ）は、第３のインターフェース１５ａ及び操作部１６ａを備えなくともよい。
【００８０】
次に、統合システム１００の動作例について説明する。  
ここでは、照明システム１ａのＣＰＵ１１ａは、スレーブモードで動作する照明システム１ｂを制御する動作モード（マスタモード）で動作するものとする。
【００８１】
まず、ＣＰＵ１１ｂは、スレーブモードに設定するかを判定する。前述の通り、たとえば、ＣＰＵ１１ｂは、操作部１６ｂを通じてスレーブモードで動作する指示を受け付けたかを判定する。また、ＣＰＵ１１ｂは、第３のインターフェース１５ｂに伝送信号線が接続されたかを判定する。ここでは、ＣＰＵ１１ｂは、スレーブモードに設定すると判定するものとする。
【００８２】
ＣＰＵ１１ｂは、スレーブモードに設定すると判定すると、動作モードをスレーブモードに設定する。  
ＣＰＵ１１ｂが動作モードをスレーブモードに設定すると、照明システム１ａのＣＰＵ１１ａは、第２のインターフェース１４ｂを通じて、コントローラ１０ｂに伝送信号を送信する。たとえば、ＣＰＵ１１ａは、照明装置２０ｂの電源をオン／オフする伝送信号又は照明装置２０ｂの光量を示す伝送信号などをコントローラ１０ｂへ送信する。
【００８３】
コントローラ１０ｂのＣＰＵ１１ｂは、第３のインターフェース１５ｂを通じてコントローラ１０ａから伝送信号を受信する。伝送信号を受信すると、ＣＰＵ１１ｂは、伝送信号に基づいて、照明システム１ｂの各部を制御する。
【００８４】
なお、動作モードをスレーブモードに設定すると、ＣＰＵ１１ｂは、前述の通り、照明システム１ｂの被制御装置からの伝送信号をコントローラ１０ａへ送信してもよい。
【００８５】
以上のように構成されたコントローラは、動作モードを、上位の照明システムのスレーブとして動作するスレーブモードに設定する。そのため、コントローラは、上位の照明システムのコントローラの制御下で動作することができる。その結果、統合システムは、容易に照明システムを増加することができる。また、統合システムは、容易に照明システム同士を連携させることができる。
【００８６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８７】
１、１ａ及び１ｂ…照明システム、２…電源、１０、１０ａ及び１０ｂ…コントローラ、１１、１１ａ及び１１ｂ…ＣＰＵ、１２、１２ａ及び１２ｂ…メモリ、１３、１３ａ及び１３ｂ…第１のインターフェース、１４、１４ａ及び１４ｂ…第２のインターフェース、１５ａ及び１５ｂ…第３のインターフェース、１６ａ及び１６ｂ…操作部、２０、２０ａ及び２０ｂ…照明装置、３０、３０ａ及び３０ｂ…リレー、３１、３１ａ及び３１ｂ…スイッチ部、３２、３２ａ及び３２ｂ…アンプ部、４０、４０ａ及び４０ｂ…人感センサ、５０、５０ａ及び５０ｂ、…照度センサ、６０、６０ａ及び６０ｂ…スイッチ、１００…統合システム。
【図１】
2017174688.tif 000003
【図２】
2017174688.tif 000004
【図３】
2017174688.tif 000005
【図４】
2017174688.tif 000006